(57)【要約】  腰部支持背部（３）と、大腿部支持前部（５）と、前記背部と前記前部との間に位置する中間骨盤支持バケット（７）と、前記骨盤支持バケット（７）と前記大腿部支持前部（５）との間に連続的且つ互いから延在する上向きに傾斜した移行壁（２３）とを含む回転可能シートクレードル（１）。前記シートクレードル（１）は、スタンド（１６）に枢動可能に結合されるか又は椅子ベース（７２）に接続されたヨーク（５０）に枢動可能に結合される。前記シートクレードル（１）の前記大腿部支持前部（５）は、前記骨盤支持バケット（７）より上方に位置し、前記上向きに傾斜した移行壁（２３）から外向きに片持ち状に突出する。前記シートクレードル（１）の前記前部（５）に向けて体重を移動させている着座した使用者によって、前記使用者の脚が前記大腿部支持前部に対して押されて、前記大腿部支持前部に対する回転力が生成され、前記シートクレードルが枢動可能に結合された前記スタンド（２６）又は前記ヨーク（５０）に対して前記シートクレードル（１）の対応する回転が引き起こされる。
2018519144.tif 000002
【特許請求の範囲】
【請求項１】
使用者が中に着座する回転可能シートクレードル（１）であって、前記シートクレードルは、背部（３）であって着座した使用者の背中がそれに対接して受け入れられる背部（３）と、前部（５）であって前記使用者の脚がその上に置かれる前部（５）と、前記背部と前記前部との間に位置する中間骨盤支持バケット（７）であって前記使用者の骨盤がその中に受け入れられる中間骨盤支持バケット（７）と、互いに間隔をあけられ対向して位置する一対の側部（８、１０）とを含み、前記シートクレードルの前記前部は前記骨盤支持バケットの底部より上方に位置し、その結果、前記シートクレードル内で前傾している前記使用者によって、前記使用者の脚が前記前部に対して押力を加えることが引き起こされ、それにより、前記シートクレードルが回転し、それにより前記使用者の骨盤仙腸関節から前記使用者の上体体重の荷重が除かれ、骨盤前傾及び腰部前弯が誘起されることが対応して引き起こされる、回転可能シートクレードル（１）。
【請求項２】
前記シートクレードルの前記背部（３）の一部は、前記シートクレードルの前記前部（５）に向けて内向きに突出し、内向きに突出した背部部分に隣接して位置し且つ外向きに前記前部から離れるように突出する前記骨盤支持バケット（７）の部分よりも、前記背部（３）の一部は前記前部に近接して位置し、前記着座した使用者の下部脊椎に係合し押し付けられる、請求項１に記載の回転可能シートクレードル（１）。
【請求項３】
前記シートクレードルの前記骨盤支持バケット（７）と前記前部（５）との間に連続的且つ互いから延在する上向きに傾斜した移行壁（２３）をさらに含み、前記前部は、前記移行壁に片持ち支持され、前記使用者が前記シートクレードル内で前傾した場合に、前記使用者の脚によって前記前部に加えられる前記押力に応えて前記シートクレードルが回転される、請求項１に記載の回転可能シートクレードル（１）。
【請求項４】
前記シートクレードルの片持ち支持された前部（５）は、前記上向きに傾斜した移行壁（２３）から外向きに延在し、前記上向きに傾斜した移行壁は、外向きに延在する前記前部に、前記骨盤支持バケット（７）の前記底部より上方に間隔をあけられた移行点において接合し、前記上向きに傾斜した移行壁の傾斜は、前記移行点を通る水平基準線（２５）に対して４５度以下の角度（２４）を作る、請求項３に記載の回転可能シートクレードル（１）。
【請求項５】
支持表面（２０）上に置かれるスタンド（１６）であって、前記シートクレードルが枢動可能に結合されるスタンド（１６）をさらに含み、前記シートクレードルは、前記スタンドによって前記支持表面の上方で懸架され、前記着座した使用者が前記シートクレードル内で前傾及び後傾した場合に前記スタンドに対して回転可能である、請求項１に記載の回転可能シートクレードル（１）。
【請求項６】
前記スタンド（１６）は、前記支持表面（２０）上に置かれるベース（１８）と、前記ベースから上向きに延在する一対のブレース（２２−１、２２−２）であって、前記シートクレードルの前記一対の側部（８、１０）のうちの各１つに枢動可能に接続される、一対のブレース（２２−１、２２−２）とを有し、前記シートクレードルは前記スタンドに対して回転可能である、請求項５に記載の回転可能シートクレードル（１）。
【請求項７】
前記スタンド（１６）の前記一対の上向きに延在するブレース（２２−１、２２−２）のそれぞれから、前記シートクレードルの前記一対の側部（８、１０）のうちの各１つ内に形成されたピボット穴（１１）を通して延在するピボット（１３）であって、前記シートクレードルが前記ピボットによって前記スタンドに枢動可能に接続される、ピボット（１３）をさらに含み、前記一対の側部内に形成される前記ピボット穴は、前記シートクレードルの前記前部（５）より上方に位置し、前記ピボット穴は互いに実質的に軸方向で整列するとともに前記着座した使用者の股関節と実質的に軸方向で整列して、前記使用者が前記シートクレードル内で前傾した場合にその周りで前記シートクレードルが回転する枢動軸（１４）を形成する、請求項６に記載の回転可能シートクレードル（１）。
【請求項８】
前記スタンド（１６）の前記ベース（１８）は、互いに間隔をあけられ対向して整列されて地面に固定された第１及び第２の平坦なベース部材（１８−１、１８−２）を含み、前記一対のブレースのうちの第１（２２−１）は、前記第１の平坦なベース部材（１８−１）から上向きに延在し、前記シートクレードルの前記一対の側部のうちの第１（８）に枢動可能に結合され、前記一対のブレースのうちの第２（２２−２）は、前記第２の平坦なベース部材（１８−２）から上向きに延在し、前記シートクレードルの前記一対の側部のうちの第２（１０）に枢動可能に結合される、請求項６に記載の回転可能シートクレードル（１）。
【請求項９】
地面の上に置かれた椅子ベース（７２）と、
使用者が中に着座する回転可能シートクレードル（１）であって、前記回転可能シートクレードルは、前記地面の上方で前記椅子ベース（７２）によって保持され、前記回転可能シートクレードルの第１の端における背部（３）であって着座した使用者の背中が対接して受け入れられる背部（３）と、反対側の端における前部（５）であって前記使用者の脚がその上に置かれる前部（５）と、前記背部と前記前部との間に位置する中間骨盤支持バケット（７）であって前記使用者の骨盤がその中に受け入れられる中間骨盤支持バケット（７）と、互いに間隔をあけられ対向して位置する一対の側部（８、１０）とを含み、前記回転可能シートクレードルの前記前部は前記骨盤支持バケットの底部より上方に位置し、前記回転可能シートクレードル内で前傾している前記使用者によって、前記使用者の脚が前記前部に対して押力を加えることが引き起こされて前記回転可能シートクレードルが回転し、それにより前記使用者の骨盤仙腸関節から前記使用者の上体体重の荷重が除かれ、骨盤前傾及び腰部前弯が誘起されることが対応して引き起こされる、回転可能シートクレードル（１）と、
前記椅子ベース（７２）に接続されたヨーク（５０）であって、前記回転可能シートクレードル（１）は前記ヨークに枢動可能に接続され、したがって前記回転可能シートクレードルは前記ヨーク及び前記ヨークが接続された前記椅子ベースに対して回転可能である、ヨーク（５０）と、
を含む組み合わせ。
【請求項１０】
前記回転可能シートクレードル（１）の前記背部（３）の一部は、前記回転可能シートクレードルの前記前部（５）に向けて内向きに突出し、内向きに突出した背部部分に隣接して位置し且つ外向きに前記前部から離れるように突出する前記骨盤支持バケット（７）の部分よりも、前記背部（３）の一部は前記前部に近接して位置し、前記着座した使用者の下部脊椎に係合し押し付けられる、請求項９に記載の組み合わせ。
【請求項１１】
前記回転可能シートクレードル（１）は、前記回転可能シートクレードルの前記骨盤支持バケット（７）と前記前部（５）との間に連続的且つ互いから延在する上向きに傾斜した移行壁（２３）をさらに含み、前記前部は、前記移行壁に片持ち支持され、前記使用者が前記回転可能シートクレードル内で前傾した場合に、前記使用者の脚によって前記前部に加えられる前記押力に応えて前記回転可能シートクレードルが前記ヨーク（５０）に対して回転される、請求項９に記載の組み合わせ。
【請求項１２】
前記回転可能シートクレードル（１）の片持ち支持された前部（５）は、前記上向きに傾斜した移行壁（２３）から外向きに延在し、前記上向きに傾斜した移行壁は、前記片持ち支持された前部に、前記骨盤支持バケット（７）の前記底部より上方に間隔をあけられた移行点において接合し、前記上向きに傾斜した移行壁（２３）の傾斜は、前記移行点を通る水平基準線（２５）に対して４５度以下の角度（２４）を作る、請求項１１に記載の組み合わせ。
【請求項１３】
前記ヨーク（５０）は、前記回転可能シートクレードル（１）の前記一対の側部（８、１０）のうちの各１つに枢動可能に結合される一対の上向きに延在するストラット（５４）を含み、前記回転可能シートクレードルは前記ヨークに枢動可能に接続され、前記ヨーク及び前記ヨークが接続された前記椅子ベース（７２）に対して回転可能である、請求項９に記載の組み合わせ。
【請求項１４】
前記ヨーク（５０）の前記一対の上向きに延在するストラット（５４）のそれぞれは、前記ストラット（５４）において形成された結合穴（６２）と、前記結合穴内に位置し且つ前記回転可能シートクレードル（１）の前記一対の側部のうちの１つ（８）に取り付けられたクレードルカプラー（６８）とを有し、前記クレードルカプラーは、前記回転可能シートクレードルが回転する場合に前記結合穴内で回転する、請求項１３に記載の組み合わせ。
【請求項１５】
前記ヨーク（５０）の前記一対の上向きに延在するストラット（５４）のそれぞれに固定された結合スリーブ（６６）であって、前記ストラット（５４）において形成された前記結合穴（６２）を囲繞する、結合スリーブ（６６）が設けられ、各クレードルカプラー（６８）は、前記回転可能シートクレードル（１）が回転した場合の前記結合穴内での回転のために、前記結合スリーブによって受け入れられ且つ前記結合スリーブによって前記結合穴内に保持される、請求項１４に記載の組み合わせ。
【請求項１６】
前記ヨーク（５０）の前記一対の上向きに延在するストラット（５４）のそれぞれにおいて形成された前記結合穴（６２）内に位置する静止位置制限キー（６４）が存在し、前記位置制限キーは、前記一対のストラットのうちの各１つにおいて形成された前記結合穴内で前記クレードルカプラーが回転する場合に前記クレードルカプラー（６８）によって係合され、それにより前記回転可能シートクレードル（１）の回転を制限する、請求項１４に記載の組み合わせ。
【請求項１７】
各クレードルカプラー（６８）はノッチ（７０）が形成され、前記静止位置制限キー（６４）は、前記ヨーク（５０）の前記一対の直立したストラット（５４）のうちの各１つにおいて形成された前記結合穴（６２）内で前記クレードルカプラーが回転する場合に前記クレードルカプラー（６８）によって係合され、それにより前記回転可能シートクレードル（１）の前記回転を対応して制限するように、前記ノッチ内に位置する、請求項１６に記載の組み合わせ。
【請求項１８】
各クレードルカプラー（６８）はバネ記憶を有するエラストマー材料から製造され、前記クレードルカプラーは最初に、前記クレードルカプラーが回転されて前記静止位置制限キー（６４）と係合した場合に圧縮され、次に、前記着座した使用者が前記回転可能シートクレードル（１）を出た場合に膨張し、それにより前記クレードルカプラーは前記静止位置制限キーから離れるよう回転される、請求項１６に記載の組み合わせ。
【請求項１９】
前記ヨーク（５０）は、前記一対の上向きに延在するストラット（５４）の間に延在するヨーク接続ベース（５２）であって、前記回転可能シートクレードル（１）の下で伸びる、ヨーク接続ベース（５２）をさらに含み、前記ヨーク接続ベースは前記椅子ベース（７２）に固定されて前記ヨークを前記椅子ベースに接続し、前記椅子ベースはヨーク取り付けプレート（７７）を有し、前記ヨークの前記ヨーク接続ベースは椅子シートの代わりに、前記椅子ベースの前記ヨーク取り付けプレートにおいて前記椅子ベースに接続される、請求項９に記載の組み合わせ。
【請求項２０】
使用者が中に着座する回転可能シートクレードル（１）であって、前記回転可能シートクレードルは、背部（３）であって着座した使用者の背中が対接して受け入れられる背部（３）と、前部（５）であって前記使用者の脚が上に置かれる前部（５）と、前記背部と前記前部との間に位置する中間骨盤支持バケット（７）であって前記使用者の骨盤が中に受け入れられる中間骨盤支持バケット（７）と、互いに間隔をあけられ対向して位置する一対のピボット（１３）であって、使用者の股関節と軸方向で整列した前記シートクレードルのための回転軸（１４）を形成する一対のピボット（１３）とを含み、前記シートクレードルの前記前部は前記骨盤支持バケットの底部より上方に位置し、前記シートクレードル内で前傾している前記使用者によって、前記使用者の脚が前記前部に対して押力を加えることが引き起こされ、それにより、前記シートクレードルが前記一対のピボットにおいて前記回転軸の周りで回転し、それにより前記使用者の骨盤仙腸関節から前記使用者の上体体重の荷重が除かれ、骨盤前傾及び腰部前弯が誘起されることが対応して引き起こされる、回転可能シートクレードル（１）。
【発明の詳細な説明】
【技術分野】
【０００１】
本発明は姿勢向上シートクレードルに関し、前記姿勢向上シートクレードルは、好ましい実施形態では、地面に接続されたスタンドに枢動可能に接続されるか又は椅子ベースに接続されたヨークに枢動可能に接続され、且つ前記スタンド又は前記ヨークに対して回転可能である。この回転可能シートクレードルは、使用者の骨盤仙腸関節から前記使用者の上体体重の荷重を除き、同時に、中立の脊椎着席姿勢（ｎｅｕｔｒａｌ  ｓｐｉｎｅ  ｓｉｔｔｉｎｇ  ｐｏｓｔｕｒｅ）を促進し、骨盤前傾（ａｎｔｅｒｉｏｒ  ｐｅｌｖｉｃ  ｔｉｌｔ）及び腰部前弯（ｌｕｍｂａｒ  ｌｏｒｄｏｓｉｓ）を誘起し、それにより使用者の着座中の快適さ及び姿勢を最良にするように構成される。
【背景技術】
【０００２】
背痛は、大多数の人が人生のある時点で患う蔓延している健康問題である。米国疼痛医学会（Ａｍｅｒｉｃａｎ  Ａｃａｄｅｍｙ  ｏｆ  Ｐａｉｎ  Ｍｅｄｉｃｉｎｅ）によれば、背痛によって米国人は年に何十億ドルもの損害を被っていると見積もられており、医師の外来診療数において背痛は感冒に次ぐ第２位である。背痛は、長期の着席姿勢に起因する多くの副作用のうちの一つであることが長い間知られてきた。中立の脊椎姿勢が最適な着席姿勢であると、人間工学の分野の専門家によって考えられている。解剖学的には、中立の脊椎姿勢は、脊椎の頸部及び腰部が適度に前方に凸状（前弯（ｌｏｒｄｏｓｉｓ））であり且つ脊椎の胸部及び仙骨部が適度に後方に凸状（後弯（ｋｙｐｈｏｓｉｓ））である最適な脊柱弯曲と定義されている。
【０００３】
補助なしの無意識的な着座姿勢における傾向は、着席者の骨盤が仙骨後弯に続発してシート表面上で後方に揺れ、それにより腰椎の反射アロードシス（ｒｅｆｌｅｘ  ａｌｏｒｄｏｓｉｓ）が開始されるというものである。腰椎のアロードシスは、胸部脊椎部及び仙骨脊椎部の両方の、反射に不随する姿勢補償（ｒｅｆｌｅｘ  ｃｏｎｃｏｍｉｔａｎｔ  ｐｏｓｔｕｒａｌ  ｃｏｍｐｅｎｓａｔｉｏｎｓ）を誘起し、それにより上背及び首の痛みがもたらされる可能性がある。腰椎のアロードシスにより、身体の重心が中立の姿勢重力線（ｐｏｓｔｕｒａｌ  ｇｒａｖｉｔｙ  ｌｉｎｅ）の前方に移動され、それにより腰椎椎間板構造（ｌｕｍｂａｒ  ｓｐｉｎｅ  ｄｉｓｃ  ｓｔｒｕｃｔｕｒｅｓ）に有害に荷重がかけられ、着席者が下背痛にかかりやすくなるということが文書で十分に裏付けられている。人間工学の分野で働く大多数の人々は、中立の脊椎姿勢が最適な着席姿勢であることで意見が一致している。大多数の人々はまた、骨盤前傾及び腰部前弯の両方を促進することによって中立の脊椎姿勢が助長されることでも意見が一致している。脊椎の牽引が、背痛を軽減するための効果的な方法として長い間一般に受け入れられてきた。脊椎の牽引により、脊椎の軟組織及び硬組織構造の荷重が除かれ、それにより長期の着席に関連するこれらの組織の圧縮力が緩和され、それに関連する痛みが緩和され得る。
【発明の概要】
【発明が解決しようとする課題】
【０００４】
確認し得る限りにおいて、回転可能シートクレードルであって、骨盤支持中間部分から上向きに傾斜した脚部支持前部部分を有し、且つ腰椎支持背部部分をさらに含み、それにより、前傾した着席者に応じたシートクレードルの回転が動的な骨盤前傾及び動的な腰部前弯を促進し、同時に前記着席者の骨盤から前記着席者の上体体重の荷重を除いて、中立の脊椎着座姿勢に向けて前記着席者の背中を効果的に位置付ける、回転可能シートクレードルは知られていない。
【課題を解決するための手段】
【０００５】
本明細書中で開示されるのは、独立のシートとしての、又は静止スタンドに枢動可能に結合され且つ前記静止スタンドに対して回転可能なシートとしての、様々なシーティング適用例を有するシートクレードルである。前記シートクレードルは望ましくは、プラスチック材料から成形された一体形シェルとして製造される。前記シートクレードルは、使用者がその下背をもたせ掛ける腰部支持背部と、前記使用者がその脚をもたせ掛ける湾曲し下向きに傾斜した大腿部支持前部と、前記腰部支持背部と前記大腿部支持前部との間に位置する中間の深い骨盤支持バケットであってその中に前記使用者の骨盤が受け入れられる骨盤支持バケットとを含む。湾曲し上向きに傾斜した移行壁が、前記骨盤支持バケットと前記下向きに傾斜した大腿部支持前部との間に連続的に延在する。前記クレードルの前記大腿部支持前部は、使用者がその体重を前記クレードルの前部に移動させた場合の、前記大腿部支持前部に対する回転力を受け入れるように、外向きに片持ち状に突出する。したがって、前傾している使用者によって、前記使用者の股関節と実質的に軸方向で整列したピボットにおける、前記シートクレードルの対応する前方への時計回りの回転が引き起こされる。そのような回転によって、前記シートクレードルの前記腰部支持背部及び前記骨盤支持バケットは持ち上げられ且つ回転され、それにより、前記使用者の骨盤の前傾が動的に且つ有利に誘起され、前記使用者の背中は中立の脊椎姿勢に向けて位置付けられ、前記中立の脊椎姿勢において、前記使用者の着座中の快適さが促進される。
【０００６】
第１のシーティング適用例において、前記回転可能シートクレードルはスタンドに枢動可能に結合され且つ前記スタンドを基準にして回転可能である。前記スタンドは、地面に固定されるか、上昇した表面の上に設置されるか、又は従来の椅子のシート上に単に置かれてもよい。前記スタンドは一対の直立したブレースを有し、前記一対の直立したブレースはそれらの第１の端において、前記シートクレードルの対向する両側部における支持ブッシュに枢動可能に結合される。平坦なベースが、各直立したベースの反対側の端に位置し、支持表面上に置かれる。前記回転可能シートクレードルは、前記スタンドによって前記支持表面の上方で懸架され、その結果、使用者がその体重を移動させた場合、前記シートクレードルは前記スタンド及び前記スタンドがその上に置かれた支持表面を基準にして回転する。
【０００７】
別のシーティング適用例において、前記回転可能シートクレードルはヨークに結合され、前記ヨークは従来の椅子のベースに、通常の椅子シートの代わりに接続される。前記ヨークは、前記シートクレードルの底部の下方で横方向に伸びるＵ字形のベースであって椅子ベースのシートプレートに固定されるＵ字形のベースと、前記シートクレードルの対向する両側部に位置する一対の上向きのストラットとを含む。結合穴が、前記ヨークの前記上向きのストラットのそれぞれを通して形成される。バネ記憶を有するエラストマー材料から製造されたクレードル位置付けストッパーが、各結合穴内に受け入れられ、前記ヨークの各ストラットの外側に取り付けられた円筒状結合スリーブによって囲繞され所定の位置に保持される。前記クレードル位置付けストッパーは、前記回転可能シートクレードルの対向する両側部における各ピボット支持ブッシュ上に取り付けられ、それにより前記シートクレードルは前記ヨークに結合される。静止位置制限キーが、前記ヨークの前記上向きのストラットのそれぞれにおいて形成された前記結合穴内に突出し、前記結合穴内に受け入れられた前記クレードル位置ストッパーのそれぞれにおいて形成されたノッチ内に位置付けられる。使用者がその体重を移動させた場合、前記回転可能シートクレードルは前記ヨークを基準にして対応して回転し、前記クレードルの対向する両側部に取り付けられた前記クレードル位置ストッパーは、各結合穴内で同時に回転する。前記シートクレードルは、前記クレードルと共に回転する前記クレードル位置付けストッパーが移動して、前記ストッパー内に形成された前記ノッチ内に突出するそれぞれの静止位置制限キーと係合するまで、時計回り方向又は反時計回り方向に回転する。
【図面の簡単な説明】
【０００８】
【図１】第１のシーティング適用例による、スタンドに結合され且つ前記スタンドを基準にして回転可能な回転可能シートクレードルの側面図である。
【図２】枢動軸の周りを回転可能な図１に示す回転可能シートクレードルの斜視図である。
【図３】図２の線３−３に沿った前記回転可能シートクレードルの断面図である。
【図４】図３の線４−４に沿った前記回転可能シートクレードルの断面図である。
【図５】上昇した支持表面の上に位置する図１の回転可能シートクレードル及びスタンドの断面図である。
【図６】第２のシーティング適用例による複数の回転可能シートクレードルであって、前記シートクレードルが結合された対応する複数のスタンドを基準にして中立のシーティング位置に位置する、複数の回転可能シートクレードルを示す。
【図７】前記スタンドを基準にして収納位置まで回転された図６の複数の回転可能シートクレードルを示す。
【図８】異なるシーティング適用例による、ヨークに枢動可能に結合され且つ前記ヨークを基準にして回転可能な図１の回転可能シートクレードルを示す。
【図９】異なるシーティング適用例による、ヨークに枢動可能に結合され且つ前記ヨークを基準にして回転可能な図１の回転可能シートクレードルを示す。
【図１０】従来の椅子のシート上に置かれた図８及び図９の回転可能シートクレードル及びヨークを示す。
【図１１】別のシーティング適用例による、従来の椅子のシート上に置かれた図１の回転可能シートクレードルを示す。
【図１２】さらに別のシーティング適用例による、ヨークに結合され且つ前記ヨークを基準にして回転可能な図１の回転可能シートクレードルを示す分解図である。
【図１３】図１２のヨークに枢動可能に結合された回転可能シートクレードル及び従来の椅子のベースに通常のシートの代わりに接続された前記ヨークを示す。
【図１４】図１３に示すヨークに枢動可能に結合され且つ前記ヨークを基準にして中立のシーティング位置に回転された前記回転可能シートクレードルの側面図である。
【図１５】図１４に示す中立のシーティング位置に回転された前記回転可能シートクレードルの上面図である。
【図１６】図１２に示すヨークに枢動可能に結合され且つ前記ヨークを基準にして反時計回り方向に回転された前記回転可能シートクレードルの側面図である。
【図１７】図１２に示すヨークに枢動可能に結合され且つ前記ヨークを基準にして時計回り方向に回転された前記回転可能シートクレードルの側面図である。
【発明を実施するための形態】
【０００９】
図面の図１〜図５を最初に参照すると、本発明の利点を提供する単純な低コストの回転可能シートクレードル１の第１の好ましい実施形態が示されている。シートクレードル１は望ましくは、従来のブロー成形又は射出成形プラスチックから一体形シェルとして製造される。シートクレードル１は、概して直立した腰部支持背部３であって前記クレードル内に着座した使用者の背中がそれに対接して受け入れられる、腰部支持背部３を含む。シートクレードル１は、腰部支持背部３の反対側の、クレードル１の前方前縁に位置する大腿部支持前部５も含む。使用者の脚は大腿部支持前部５上に載る。シートクレードル１の腰部支持背部３と大腿部支持前部５との間には、着座した使用者の骨盤がその中に受け入れられる深い概してＵ字形の骨盤支持バケット７が位置する。使用者の下部脊椎は腰部支持背部３の部分４によって係合され、部分４は、骨盤支持バケット７において隣接する後方に突出している部分より前に位置するように、大腿部支持前部５に向けて内向きに及び前方に突出するようにシートクレードル１内に成形される（図５において最も良く示されている）。
【００１０】
シートクレードル１は、骨盤支持バケット７から延び（ｃｏ−ｅｘｔｅｎｓｉｖｅ）且つ骨盤支持バケット７の上方に垂直に上昇する、一対の対向する側壁８及び１０を有する。一対の軸方向で整列された穴（それらのうちの１つ１１のみが図２及び図３に示されている）が、シートクレードル１の側壁８及び１０を通して形成される。ピボット支持ブッシュ１２が、側壁８及び１０を通して形成された軸方向で整列された穴１１を囲繞し強化するように、各側壁８及び１０の外側に固定される。回転可能シートクレードル１の対向する側壁８及び１０における穴１１及びピボット支持ブッシュ１２は、それぞれのピボット（例えば段付きボルト、そのうちの１つ１３のみが図１に示されている）をそれらの中に受け入れて、それにより直線状枢動軸１４（図２において最も良く示されている）であってその周りでシートクレードル１がそれに加えられる回転力に応じて回転可能な、直線状枢動軸１４を確立するように位置付けられる。直線状枢動軸１４は、使用者の股関節と実質的に軸方向で整列してシートクレードル１の側壁８と１０との間でシートクレードル１を横方向に横断して伸び、その結果、前記クレードルが空の場合、図１及び図３に示すように、クレードル１は前記枢動軸の対向する両側において等しく重みをかけられ、それにより中立位置にバランスされる。
【００１１】
図１及び図５において最も良く示されているように、回転可能シートクレードル１はスタンド１６に枢動可能に結合される。前記シートクレードルが結合される特定のスタンド１６は本発明を限定するものと考えられるべきではない。単なる例として、図１及び図５のスタンド１６は、任意の好適な平坦な表面（図５の参照番号２０によって図式的に表されている）上に置かれたか又はそれに固定された平坦なベース１８を含む。回転可能シートクレードル１がその上に置かれる表面２０の形状及び高さ（存在する場合）は、シートクレードルの適用例に応じて選択できる問題である。
【００１２】
一対の直立したブレース（それらのうちの１つ２２のみが図１及び図５に示されている）が、スタンド１６の平坦なベース１８の各対向する端から垂直上向きに突出する。それぞれの直立したブレース２２は、シートクレードル１の側壁８及び１０のうちの対応する１つにおける外側ピボット支持ブッシュ１２のうちの１つによって囲繞され支持される前述のピボット（例えば段付きボルト１３）のうちの１つを保持する。このようにして、回転可能シートクレードル１は、スタンド１６によってその平坦なベース１８の上方で懸架され、したがって、スタンド１６及び前記スタンドがその上に置かれたか又は固定された表面（例えば２０）を基準にして（図２の）枢動軸１４の周りで前後に回転可能である。
【００１３】
回転可能シートクレードル１の重要な詳細として、図１、図３及び図５に示すその中立位置において、支持表面に最も近い骨盤支持バケット７の底部は、大腿部支持前部５の頂部より下方に位置する。より具体的には、上向きに傾斜した移行壁２３が、骨盤支持バケット７と大腿部支持前部５との間に連続的且つ互いから（ｃｏ−ｅｘｔｅｎｓｉｖｅｌｙ）延在する。上向きに傾斜した移行壁２３が大腿部支持前部５と接合する移行点は、骨盤支持バケット７の前記底部より上方に、予想される使用者のサイズに応じた距離（図３においてＤで示されている）だけ間隔をあけられる。すなわち、シートクレードル１の距離Ｄは、小さな子供についてはより短くなり、大きな及び／又は長身の人についてはより大きくなる。
【００１４】
その上、上向きに傾斜した移行壁２３の傾斜は、上向きに傾斜した移行壁２３が大腿部支持前部５と接合する前述の移行点を通る水平基準線２５に対して４５度以下の理想的な角度（図３において２４で示されている）を形成する。結果として、クレードル１の大腿部支持前部５は、前記クレードルの前方前縁において、上向きに傾斜した移行壁２３から外向きに片持ち状に突出する。したがって、回転可能クレードル１内に着座した使用者の前方移動により、使用者の脚が、対応する回転押力を、片持ち状に突出した大腿部支持前部５に対して時計回り方向に加えることがもたらされ、それにより前記クレードルは、（図２の）枢動軸１４の周りで、前記クレードルが枢動可能に結合されたスタンド１６に対して回転する。
【００１５】
図５を特に参照すると、回転可能シートクレードル１内に着座した使用者であって、前記使用者の背中は腰部支持背部３に対接して位置し、前記使用者の脚は片持ち状に突出した大腿部支持前部５上に載り、前記使用者の骨盤は骨盤支持バケット７によって受け入れられた、使用者が示されている。シートクレードル１は、その中立の重量バランスのとれた位置であって、すぐ前で説明したように使用者がその体重を前方に移動させてそれにより大腿部支持前部５に対して前述の押力を加えた場合に、時計回り方向に回転するための準備ができた、中立の重量バランスのとれた位置にある。
【００１６】
所望により存在する姿勢矯正パッド２６が、使用者の下背に係合し使用者の脊椎を直立姿勢に駆り立てるために、シートクレードル１の腰部支持背部３から内向きに延在する。これと同じ点に関して、使用者がその体重をシートクレードル１内で大腿部支持前部５に向けて前方に移動させた場合、シートクレードル１の対応する時計回りの回転によって使用者の腰部及び骨盤が上向き及び前方に持ち上げられて、腰部前弯及び骨盤前傾が動的に誘起される。前述の理由で、クレードル１内での使用者の姿勢は、中立の脊椎姿勢に向けて有利に位置付けられる。シートクレードル１の回転により、腰部支持背部３の前方に突出した部分４は使用者の下背内に突き出され、使用者の腰椎に、骨盤から離れる方向の上向きの及び前方への牽引力を提供し、それにより、使用者の着座した骨盤から使用者の体重の荷重が実質的に除かれる。代替として、腰部支持背部３の前方に突出した部分４は平坦にされ除去されてもよく、姿勢矯正パッド２６が、使用者の下背内への受け入れのために大腿部支持前部５に向けて突出するようにサイズ決定され位置付けられてもよい。いずれの場合も、本明細書中で開示される回転可能シートクレードル１は、着座した使用者の姿勢及び快適さを向上するように適合される。
【００１７】
図６及び図７は、先に図１〜図５を参照しながら説明した回転可能シートクレードル１のシーティング適用例の一例を示す。図６及び図７において、シートクレードル１は、互いに並んで整列された複数の同一のシートクレードルと連結されて、競技場、劇場、空港待合室などにおける対応する数の占有者のための快適な屋外用又は屋内用グループシーティング配置を形成している。図６は、着座のための準備ができた中立の重量バランスのとれた位置にある複数のシートクレードル１のそれぞれを示す。図７は、前記シートクレードルが使用されていない場合にコンパクトな収納位置までそれらの枢動軸１４（図２）の周りを下向きの時計回り方向に回転されたシートクレードル１を示す。もちろん、占有者の数に応じて、複数の回転可能シートクレードル１のうちの様々なものが、図６及び図７の中立位置及び収納位置まで選択的に回転されてもよい。
【００１８】
図６及び図７に示す例において、各シートクレードル１は、一対のスタンド１６−１及び１６−２によって地面に枢動可能に結合されており且つ地面の上方で懸架されており、前記一対のスタンド１６−１及び１６−２は、対応する一対の垂直に直立したブレース２２−１及び２２−２がクレードルの対向する両側部に位置するように、図１及び図５に示すものと同様に間隔をあけられ対面して整列されて保持されている。平坦なベース１８−１及び１８−２が、スタンド１６−１及び１６−２の一対のブレース２２−１及び２２−２のうちの各１つから水平に延在して地面に固定されている。したがって、シートクレードル１がその上に置かれる図５に示す上昇した表面２０は、ここでは省略されていることが理解され得る。所望により存在する一対のアーム２８が、一対の直立したブレース２２−１及び２２−２のうちの各１つに取り付けられており、その上に、前記シートクレードル内に着座した人の腕が載ってもよい。
【００１９】
図面の図８〜図１１は、図１〜図５を参照しながら先に説明した回転可能シートクレードル１の別のシーティング適用例を示す。同一の参照番号が、図１〜図５及び図８〜図１１に示すシートクレードル１の同一の特徴を示すために使用される。シートクレードル１は、その最も単純な適用例においては、図１、図６、及び図７に示したようなスタンドに枢動可能に結合される必要はない。この場合、シートクレードル１は、例えば図１１において３０で示されているものなどの従来の椅子の上に単に置かれてもよく、またそこから取り去られてもよい。したがって、シートクレードル１の腰部支持背部３は、椅子３０の背部３２に隣接して位置し、クレードル１の大腿部支持前部５は、椅子シート３４の前部の上に載る。シートクレードル１の骨盤支持バケット７は、椅子背部３２の底部及び椅子シート３４の後部の両方に対接して位置して示されている。図１１の椅子３０上に置かれたシートクレードル１内に着座しその体重を移動させている人は有利には、単独の椅子に着席し揺動している間は必ずしも得られない上述の姿勢向上の利益を受ける。
【００２０】
回転可能シートクレードル１は、図１、図６、及び図７に示すスタンド１６に枢動可能に結合されるのではなく、図８、図９、及び図１０に示すヨーク４０に結合された状態で椅子３０の上に据えられてもよく、またそこから取り去られてもよい。ヨーク４０は好ましくは可撓性プラスチックから製造され、比較的平坦なベース４２と、互いに間隔をあけられ対向して整列されて位置しており且つバネ記憶を有している一対の上向きの側壁４４とを含む。一対の円筒状カプラー４６が、上向きの側壁４４から互いに向けて内向きに対面している。ヨーク４０は、前記ヨークが図１０に示すように椅子３０の上に据えられた場合にベース４２に支持及び安定性を提供するための、前記ベースから外向きに突出する前側ノーズ４８を含む。
【００２１】
回転可能シートクレードル１は、最初にヨーク４０の可撓性側壁４４を外向きに曲げ、次にその円筒状カプラー４６を、前記シートクレードルの側壁８及び１０から突出しているピボット支持ブッシュ１２（図９において最も良く示されている）のうちの各１つと囲繞係合するように位置付けることによって、図８に示すようにヨーク４０に枢動可能に且つ取り外し可能に結合される。シートクレードル１とヨーク４０との組み合わせは、平坦なベース４２及びそこから延在する前側ノーズ４８がシート３４とじかに接触して位置するように、且つ（図１１に示すシーティング配置の場合のように）クレードル１の腰部支持背部３が椅子背部３２に隣接して位置するように、椅子３０のシート３４上に置かれる。使用者がその体重をシートクレードル１内で前後に移動させた場合、前記シートクレードルはその枢動軸（図９において１４で示されている）の周りでヨーク４０に対して回転して、対応する力を椅子３０に伝える。しかし使用者は有利には、単独の椅子からは必ずしも得られない、上述のように回転可能シートクレードル１によって提供される姿勢向上の利益を与えられる。
【００２２】
次に図面の図１２〜図１７を参照すると、本明細書中で開示される回転可能シートクレードル１が、異なる椅子（図１３において７５で示されており且つ最も良く示されている）に取り付けられた場合の別のシーティング適用例において示されている。この場合、シートクレードル１はヨーク５０に結合されており且つ前記ヨークに対して回転可能であり、ヨーク５０は椅子７５に固定されている。再び、同一の参照番号が、図１２〜図１７に示すシートクレードル１の同一の特徴を示すために使用されている。次に開示するように、シートクレードル１は、椅子７５の通常のシートに取って代わるように、前記椅子の既存のベース７２にヨーク５０を用いて固定される。
【００２３】
ヨーク５０は、その底部に位置するＵ字形のベース５２と、互いに間隔をあけられ対面して整列されて配置された一対の上向きの垂直に延在するストラット５４とを含む。アウトストレッチされた（ｏｕｔｓｔｒｅｔｃｈｅｄ）クレードル支持アーム５６が、ヨーク５０の各側において各上向きのストラット５４から延びて接続されそこから第１の方向に延在する。アームパッド支持ブレース５８が、各ストラット５４から延びて接続されそこから第２の方向に延在する。延びて接続されたクレードル支持アーム５６及びアームパッド支持ブレース５８は、ヨーク５０の上向きのストラット５４のそれぞれから第１の方向及び第２の方向に延在して、それらの間に約９０度の角度を形成する。
【００２４】
ヨーク５０に結合された回転可能シートクレードル１を有する図１３〜図１７の組み立てられた椅子構成において、ヨーク５０の底部に位置するＵ字形のベース５２は、前記シートクレードルの下で横方向に横断して伸びてプレート７７に接続されており、前記プレート７７は、椅子７５のベース７２であって通常の椅子シートが本発明の回転可能シートクレードル１によって取って代わられていなければ前記通常の椅子シートがそこにおいて接続されていたであろうベース７２によって支持されている。ベース５２から垂直上向きに立つストラット５４は、シートクレードル１のそれぞれの側壁８及び１０に沿って伸びる。ストラット５４から第１の方向に延在するアウトストレッチされたクレードル支持アーム５６は、シートクレードル１の後部における腰部支持背部３の背後で互いに延びて且つ連続的に接続される。クレードル１内に着座中に使用者がその腕をもたせ掛けることが可能なアームパッド６０は、第２の方向にストラット５４から延在するアームパッド支持ブレース５８によって支えられる。
【００２５】
結合穴６２（図１２において最も良く示されている）が、ヨーク５０の対向する両側部を通して、上向きのストラット５４とクレードル支持アーム５６及びアームパッド支持ブレース５８との交差部において形成される。短い静止位置制限キー６４が、ストラット５４から各結合穴６２内に半径方向に突出する。円筒状結合スリーブ６６（やはり図１２において最も良く示されている）が、ヨーク５０の各上向きのストラット５４の外側に、結合穴６２を囲繞するように取り付けられる（例えば溶接される）。
【００２６】
クレードル位置ストッパー（例えばグロメット）６８であってその中に形成されたノッチ７０を有するクレードル位置ストッパー６８が、円筒状結合スリーブ６６によって囲繞係合され且つ支持された受け入れのために各結合穴６２を通して位置付けられるような寸法に作られる。ストッパー６８が結合穴６２内に位置しスリーブ６６によって保持された状態で、静止位置制限キー６４は、前記ストッパー内に形成されたノッチ７０内に対応して位置する。クレードル位置ストッパー６８は、すぐ後で説明する利点のために、バネ記憶を有するエラストマー材料から形成されてもよい。図１４及び図１５において最も良く示されているように、ヨーク５０の上向きのストラット５４によって支えられるクレードル位置ストッパー６８は、回転可能シートクレードル１の側壁８及び１０の外側上に位置するピボット支持ブッシュ１２のうちの各１つに固定され（例えば粘着的に接着されるか又はピン留めされ）、それによりクレードル１はヨーク５０に結合される。
【００２７】
図１３は、回転可能シートクレードル１内に着座した使用者を示し、前記シートクレードル１はヨーク５０に枢動可能に結合されており、前記ヨーク５０は先に説明したように椅子７５に固定して接続されている。やはり先に説明したように且つ例として、図１３に示す椅子７５は、従来のベース７２と一組のローラー７３とを有する。前記椅子は前述のシートプレート７７も有する。しかし、使用者の体重を支持するシートの代わりに、回転可能シートクレードル１とヨーク５０との組み合わせが、シートプレート７７において椅子７０のベース７２に接続されている。
【００２８】
図１３〜図１５は、中立の（すなわち重量バランスのとれた）位置に位置しているシートクレードル１を示す。この場合、ヨーク５０の上向きのストラット５４のそれぞれにおける静止位置制限キー６４は、クレードル１の対向する側壁８及び１０に隣接する各クレードル位置付けストッパー６８内に形成されたノッチ７０の中央付近に位置している。シートクレードル１とヨーク５０とは、クレードル１にそのピボット支持ブッシュ１２において接続されたクレードル位置ストッパー６８が、ヨーク５０のストラット５４内に形成された各結合穴６２内で回転可能であるように、互いに結合されていることが理解され得る。したがって、シートクレードル１は、ヨーク５０及びヨーク５０が固定して接続された椅子７０を基準にして前後に回転可能である。
【００２９】
この点に関して、図１６は、使用者がその体重を後方に移動させた場合にヨーク５０を基準にして反時計回り方向に回転されたシートクレードル１を示す。この場合、シートクレードル１の対向する両側部（それらのうちの１つ８のみが可視である）に位置するクレードル位置ストッパー６８は、それぞれの静止位置制限キー（それらのうちの１つ６４のみが可視である）が、対応するストッパー６８の一方の端に、ノッチ７０の一方の端において係合するまでクレードル１と共に回転される。同時に、シートクレードル１の腰部支持背部３は、背部３の背後に位置するヨーク５０のアウトストレッチされたクレードル支持アーム５６に係合する。図１６の反時計回り方向でのシートクレードル１の追加の回転は、クレードル位置ストッパー６８のうちの各１つによる静止位置制限キー６４との、及びクレードル支持アーム５６による腰部支持背部３との、同時係合によって阻止される。
【００３０】
図１７は、使用者がその体重を前方に移動させた場合にヨーク５０を基準にして時計回り方向に回転されたシートクレードル１を示す。クレードル位置ストッパー６８はこの場合、各静止位置制限キー６４が、対応するクレードル位置ストッパー６８の反対側の端に、ノッチ７０の反対側の端において係合するまでシートクレードル１と共に回転され、クレードル１の腰部支持背部３は、ヨーク５０のアウトストレッチされたクレードル支持アーム５６から離れるように回転する。図１７の時計回り方向でのシートクレードル１におけるいかなる追加の回転も、クレードル位置付けストッパー６８による静止位置制限キー６４との係合によって阻止される。
【００３１】
上記に示したように、回転可能シートクレードル１の対向する両側部（例えば８）に取り付けられるクレードル位置ストッパー６８は、エラストマー材料から製造されてもよい。この場合、クレードル１が図１６及び図１７の反時計回り方向又は時計回り方向のいずれかに回転されると、静止位置制限キー６４は、回転してそれと係合する各クレードル位置付けストッパー６８の一方の端に、対応して押し付けられる。したがって、ストッパー６８は最初に圧縮されエネルギーを蓄積する。使用者が前記クレードルを出た場合、ストッパー６８が膨張する際にそのバネ記憶特性により、クレードル１はヨーク５０を基準にして図１３及び図１４に示す中立位置に向けて回転するように駆り立てられる。
【００３２】
本明細書中で開示された回転可能シートクレードルはそのシーティング適用例に関係なく、有利には、使用者の背中への継続的な支持を提供し、同時に、着座した中立の脊椎姿勢と、動的な骨盤前傾と、動的な腰部前弯と、使用者の着座した骨盤から使用者の上体体重の荷重を効果的に除くように使用者の腰椎に加えられる動的な牽引力とを促進し、それにより使用者は、特に前記クレードル内で前傾しているときに最大の快適さを経験することが可能である。
【図１】
2018519144.tif 000003
【図２】
2018519144.tif 000004
【図３】
2018519144.tif 000005
【図４】
2018519144.tif 000006
【図５】
2018519144.tif 000007
【図６】
2018519144.tif 000008
【図７】
2018519144.tif 000009
【図８】
2018519144.tif 000010
【図９】
2018519144.tif 000011
【図１０】
2018519144.tif 000012
【図１１】
2018519144.tif 000013
【図１２】
2018519144.tif 000014
【図１３】
2018519144.tif 000015
【図１４】
2018519144.tif 000016
【図１５】
2018519144.tif 000017
【図１６】
2018519144.tif 000018
【図１７】
2018519144.tif 000019
【国際調査報告】
2018519144.tif 000020